(57)【要約】【課題】【解決手段】  ＡＤコンバータと映像メモリ間、映像符号伸長と映像メモリ間に絶縁回路を配置して、モニタ−画面内に映像信号を任意サイズの拡大、縮小画面を表示させながら映像の符合圧縮された映像デ−タをコンピュ−タ等に記録させ、更にコンピュ−タ等から送られた映像の符合圧縮されたデ−タを符合伸長させ、モニタ−画面内に映像として任意サイズの拡大、縮小画面に再生させることができる。【選択図】  図１
2004180328.tif 000002
【特許請求の範囲】
【請求項１】
映像信号をデコードするデコ−ダ部と前記デコーダ部からの信号をデジタル化するＡＤコンバ−タ部と前記ＡＤコンバータ部からの信号を映像メモリ部に入れ、前記映像メモリ部の信号をＤＡ変換するＤＡコンバ−タ部とビデオスイッチ部により構成される映像処理回路において、前記ＡＤコンバータ部と前記映像メモリ部と映像符号圧縮部と映像符合伸長回路部はバスラインを介して連結されており、前記ＡＤコンバータ部と前記映像メモリ部はデジタイズ制御回路部により制御されていることを特徴とする映像処理装置。
【請求項２】
前記ＡＤコンバ−タ部の出力部と前記映像符合伸長回路部の出力部との双方に、独立した絶縁回路部をそれぞれ設けたことを特徴とする請求項１記載の映像処理装置。
【請求項３】
前記映像メモリ部と前記ＤＡコンバ−タ部と前記ビデオスイッチ部とを制御するための表示拡大縮小回路部を設けたことを特徴とする請求項１記載の映像処理装置。
【発明の詳細な説明】
【技術分野】
【０００１】
本発明は、映像信号を動画としてデジタル圧縮した後、映像デ−タをＣＰＵまたは記憶媒体に送り、また、ＣＰＵあるいは記憶媒体からの圧縮された映像デ−タをデジタル伸長させ、同時にモニタ−画面の任意位置および任意サイズで拡大、縮小させた動画表示を実現させる映像処理装置に関する。
【背景技術】
【０００２】
図２を用いて映像処理装置の構成と動作を説明する。映像信号２０を映像デコ−ダ部２１に送り、カラ−信号・輝度信号・同期信号に分離する。カラ−信号・輝度信号はＡＤコンバ−タ２２（以降、ＡＤＣと略称）によりデジタル化し、映像符合圧縮回路部２７で符合圧縮された映像デ−タはＣＰＵ１６とバスライン２９によりＣＰＵ１６または記憶媒体１５に送られる。ＣＰＵ１６または記憶媒体１５から圧縮された映像デ−タはＣＰＵバスライン２９を通じ、映像符合伸長回路部２８に送られてデ−タ伸長される。伸長されたデ−タは映像メモリ２３に書き込まれ、ＤＡコンバ−タ２４（以降、ＤＡＣと略称）でアナログ信号化させ、ビデオスイッチ２５に送られ、ビデオスイッチ２５によりＤＡＣ２４からの信号とコンピュ−タ映像信号２６を切り替える。そこからの映像信号をモニタ−部３１に送られて表示される。そこで、映像信号２０をモニタ−部３１に出力させながらＣＰＵバスライン２９に映像信号を符合圧縮させ、ＣＰＵ１６または記憶媒体１５に送ろうとした場合、映像信号２０を映像デコ−ダ２１、ＡＤＣ２２からデジタル化された映像デ−タを映像符合圧縮回路部２７により符合圧縮させ、ＣＰＵバスライン２９を経由し、ＣＰＵまたは記憶媒体に送られる。映像デコ−ダ部２１の信号を受けて圧縮伸長制御回路部３０は映像符合圧縮回路部２７と映像符合伸長回路部２８を制御している。
【０００３】
次に、先に書き込まれた映像デ−タをＣＰＵまたは記憶媒体からＣＰＵバスライン２９を通じ映像符合伸長回路部２８により符合伸長させ、映像メモリ２３を更新させ、モニタ−部３１に動画として表示される。
【発明の開示】
【発明が解決しようとする課題】
【０００４】
しかし、図２の例で映像信号２０をフレ−ム単位またはフィ−ルド単位でＣＰＵまたは記憶媒体に書き込み作業後、映像メモリ２３を更新するため、映像信号のフレーム単位のあるいはフィールド単位の少なくとも１／２以下の速度での書き込みとなり、ここで仮に、フレーム単位あるいはフィールド単位の両者をまとめて「作業単位」と表現したとすると、映像信号をモニタ−部３１に表示する場合も作業単位の１／２以下の速度での表示となってしまう。
【０００５】
更に、ＣＰＵまたは記憶媒体に書き込まれた映像デ−タを映像符合伸長回路部２８により再生させた場合は、記憶媒体の作業単位が１／２以下のため、少なくとも２倍以上の早送りした状態となった映像デ−タとなってしまう。このように、映像符合圧縮回路部２７で得られた映像デ−タを映像符合伸長回路部２８で符合伸長させ、モニタ−部３１上に表示された映像表示サイズは、映像符合圧縮回路部で圧縮された時の解像度であるため、モニタ−部３１の表示サイズは任意に確保できなくなり、圧縮デ−タのサイズに関わらず任意の表示サイズが要求されるマルチメディアなどに対応しきれなくなる。
【課題を解決するための手段】
【０００６】
本発明は、映像信号をデコードするデコ−ダ部と前記デコーダ部からの信号をデジタル化するＡＤコンバ−タ部と前記ＡＤコンバータ部からの信号を映像メモリ部に入れ、前記映像メモリ部の信号をＤＡ変換するＤＡコンバ−タ部とビデオスイッチ部により構成される映像処理回路において、前記ＡＤコンバータ部と前記映像メモリ部と映像符号圧縮部と映像符合伸長回路部はバスラインを介して連結されており、前記ＡＤコンバータ部と前記映像メモリ部はデジタイズ制御回路部により制御されていることを特徴とし、さらに、
前記ＡＤコンバ−タ部の出力部と前記映像符合伸長回路部の出力部との双方に、独立した絶縁回路部をそれぞれ設けたことを特徴とし、さらに、
前記映像メモリ部と前記ＤＡコンバ−タ部と前記ビデオスイッチ部とを制御するための表示拡大縮小回路部を設けたことを特徴とする。
【０００７】
映像信号をデジタル信号化し、映像符合圧縮化してＣＰＵまたは記憶媒体に取り込むのと平行しながら、ＣＰＵに接続されたモニタ−部に映像信号を出力させて、任意の表示サイズで表示できる。その結果、ＣＰＵまたは記憶媒体に取り込まれる映像デ−タはフィ−ルドまたはフレ−ム単位で途切れることなく記録でき、不定なサイズの映像デ−タをＣＰＵまたは記憶媒体から映像符合伸長化させ、ＣＰＵに接続されたモニタ−部に任意の表示サイズで表示させることができる。
【発明を実施するための最良の形態】
【０００８】
図１は、本発明の全体回路ブロック図であり、かかる処理回路については、同一出願人による特開平０２−２９８１７６号公報に詳述され、特に、表示拡大縮小回路部についてはこの公報の第１４図に示されている。
【０００９】
図１において、映像信号１を映像デコ−ダ部２により色成分｛Ｒ色・Ｇ色・Ｂ色またはＹ（輝度）・Ｕ／Ｖ（色相）｝と、水平同期信号・垂直同期信号を得る。得られた色成分はＡＤコンバ−タ３へ送られデジタル信号化される。映像デコ−ダ部２の信号を受けて圧縮伸長制御回路部１９は映像符合圧縮回路部１０と映像符合伸長回路部１１を制御している。デジタル化された映像信号は、短絡状態（ＯＮ）となった絶縁回路部４を介して映像メモリ部５と映像符合圧縮回路部１０の双方に送られており、これらのＡＤコンバ−タ３と映像メモリ部５と映像符合圧縮回路部１０はバスライン１８を介して互いに連結されている。その際、バスライン１８を介して連結されている映像メモリ部と映像符合伸長回路部１１間は、絶縁回路部１２により絶縁状態（ＯＦＦ）となる。そこで、映像メモリ部５とＤＡコンバ−タ６とビデオスイッチ７は表示拡大縮小回路部１４により制御され、モニタ−部８内に任意の表示サイズの表示位置で表示され、コンピュ−タ映像信号９とス−パ−インポ−ズされる。それと同時に、映像符合圧縮回路部１０は絶縁回路部４からの映像信号を符合圧縮し、ＣＰＵバスライン１７を通じてＣＰＵ１６または記憶媒体１５に書き込まれる。その結果、ＣＰＵ１６は専らデータの取り込みに専念できるという大きな特徴をもつことになる。
【００１０】
再生時においては、通信回線などＣＰＵ１６を介した信号または記憶媒体１５からの圧縮符合化された映像デ−タを、映像符合伸長回路部１１により映像信号の符合伸長して、短絡状態（ＯＮ）となった絶縁回路部１２を通り、映像メモリ部５へ送られる。そこで、映像が送られた映像メモリ部５から表示拡大縮小回路部１４で制御された映像メモリ部５，ＤＡコンバ−タ６，ビデオスイッチ７を通り、任意の表示サイズおよび表示位置でモニタ−部８に表示される。その際、ＡＤコンバ−タ３の経路は絶縁回路部４により絶縁状態（ＯＦＦ）となる。この再生時に他のＣＰＵをさらに付加して再生専用に動作させることもできるが、本発明は絶縁回路部４と１２の存在によりそのような必要がない。
【００１１】
本発明により、映像デ−タをモニタ−部８に任意の表示サイズと表示位置で表示させたまま、同時に映像デ−タを圧縮しＣＰＵまたは記憶媒体に書き込むことができる。そのため映像符合圧縮回路部１０とＣＰＵ１６は圧縮制御に専念できるため、映像デ−タのフィ−ルドまたはフレ−ム単位で途切れることなく、確実に書き込めるという効果が有り、さらに、映像符合化させる映像デ−タの解像度も上げられるという効果が得られる。
【００１２】
また、ＣＰＵまたは記憶媒体から読みだされたデータは、指定サイズの映像デ−タを表示拡大縮小回路部１４により、指定サイズに拘らず任意の表示サイズおよび表示位置でモニタ−部８に表示させられ、今後、マルチメディアに対応した映像処理分野ではなくてはならない効果が得られる発明である。
【図面の簡単な説明】
【００１３】
【図１】本発明の回路ブロック図。
【図２】映像処理装置の回路ブロック図。
【符号の説明】
【００１４】
１…映像信号
２…映像デコ−ダ部
３…ＡＤコンバ−タ部
４…絶縁回路部
５…映像メモリ部
６…ＤＡコンバ−タ部
７…ビデオスイッチ部
８…モニタ−部
９…コンピュ−タ映像信号
１０…映像符合圧縮回路部
１１…映像符合伸長回路部
１２…絶縁回路部
１３…デジタイズ制御回路部
１４…表示拡大縮小回路部
１５…記憶媒体
１６…ＣＰＵ
１７…ＣＰＵバスライン
２０…映像信号
２１…映像デコ−ダ部
２２…ＡＤコンバ−タ
２３…映像メモリ部
２４…ＤＡコンバ−タ
２５…ビデオスイッチ部
２６…コンピュ−タ映像信号
２７…映像符合圧縮回路部
２８…映像符合伸長回路部
２９…ＣＰＵバスライン
３０…圧縮伸長制御回路部
３１…モニタ−部
【図１】
2004180328.tif 000003
【図２】
2004180328.tif 000004
【手続補正書】
【提出日】平成16年1月26日(2004.1.26)
【手続補正１】
【補正対象書類名】特許請求の範囲
【補正対象項目名】全文
【補正方法】変更
【補正の内容】
【特許請求の範囲】
【請求項１】
映像メモリと、
記憶媒体に圧縮され保存されている映像データを伸長しながら再生するとともに前記映像メモリに書き込む映像伸長部と、
前記映像メモリから読み出した映像をモニタ部に表示させる表示制御部と、
を備える映像処理装置。
【請求項２】
請求項１記載の映像処理装置であって、
前記表示制御部は、前記映像メモリから読み出した映像を拡大または縮小して前記モニタ部に表示させる拡大縮小部を備える、映像処理装置。
【請求項３】
請求項２記載の映像処理装置であって、
前記拡大縮小部は、前記映像メモリ部から映像を読み出して任意の表示サイズおよび表示位置で前記モニタ部に表示する制御を行う、映像処理装置。
【手続補正２】
【補正対象書類名】明細書
【補正対象項目名】０００４
【補正方法】変更
【補正の内容】
【０００４】
しかし、従来は、圧縮された映像を表示するための技術にはあまり工夫がなされていないのが実情であった。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
本発明の映像処理装置は、映像メモリと、記憶媒体に圧縮され保存されている映像データを伸長しながら再生するとともに前記映像メモリに書き込む映像伸長部と、前記映像メモリから読み出した映像をモニタ部に表示させる表示制御部と、を備える。この表示制御部は、前記映像メモリから読み出した映像を拡大または縮小して前記モニタ部に表示させる拡大縮小部を備えていてもよい。また、前記拡大縮小部は、前記映像メモリ部から映像を読み出して任意の表示サイズおよび表示位置で前記モニタに表示する制御を行うものとしてもよい。
【手続補正５】
【補正対象書類名】明細書
【補正対象項目名】０００７
【補正方法】変更
【補正の内容】
【０００７】
この映像処理装置によれば、記憶媒体に保存されている所望の映像を伸長しながらモニタ−部に表示することができる。また、拡大縮小部を用いて、任意の表示サイズや任意の表示位置で映像を表示することができる。